(57)【要約】【課題】新たなセンサを追加することなく原稿カバーの開閉状態を判定することができ、大きな原稿が載置されても原稿カバーの開閉状態を判定できる原稿読み取り装置を提供する。【解決手段】導光体２８は、光源２７が放射した光Ｂをプラテンガラス１６に向かって放射する。原稿Ｐが読み取られていないときには、光源２７及び導光体２８は、待機位置に待機している。白基準板２６は、プラテンガラス１６に設けられ、かつ、導光体２８が放射した光Ｂを反射する。撮像素子は、白基準板２６で反射した光Ｂを受光する。遮光部材５０は、光源２７及び導光体２８が待機位置にあるときに、原稿カバー１４が閉じている状態での光源２７から導光体２８へと入射する光の量と、原稿カバー１４が開いている状態での光源２７から導光体２８へと入射する光の量とが異なるように、光源２７と導光体２８との間において移動する。【選択図】図３
2011109322.tif 000002
【特許請求の範囲】
【請求項１】
原稿が上面に載置される透明板と、
前記透明板の上面を覆っている第１の状態と該透明板の上面を覆っていない第２の状態とを切り替えることができる原稿カバーと、
光源と、
前記光源が放射した光を前記透明板の下面に向かって放射する導光体と、
前記原稿が読み取られているときには、前記光源及び前記導光体を前記透明板の下面に沿って移動させ、該原稿が読み取られていないときには、該光源及び該導光体を所定の待機位置に待機させる移動手段と、
前記透明板に設けられ、かつ、前記待機位置にある前記導光体が放射した光を反射する反射部材と、
前記透明板の下面に向かって放射された光であって、前記原稿で反射した光又は前記反射部材で反射した光を受光する受光素子と、
前記光源及び前記導光体が前記待機位置にあるときに、前記第２の状態において該光源から該導光体へと入射する光の量又は光の色と、前記第１の状態において該光源から該導光体へと入射する光の量又は光の色とが異なるように、前記原稿カバーの動きに連動して、該光源と該導光体との間において移動する遮光部材と、
を備えていること、
を特徴とする原稿読み取り装置。
【請求項２】
前記透明板、前記光源、前記導光体、前記移動手段、前記反射部材、前記受光素子及び前記遮光部材が取り付けられる本体を、
更に備え、
前記原稿カバーは、前記本体に対して回動可能に取り付けられ
前記遮光部材は、前記原稿カバーの回動に連動して前記光源と前記導光体との間を移動することによって、該光源から該導光体へと入射する光の量が変化する構造を有していること、
を特徴とする請求項１に記載の原稿読み取り装置。
【請求項３】
前記透明板、前記光源、前記導光体、前記移動手段、前記反射部材、前記受光素子及び前記遮光部材が取り付けられる本体を、
更に備え、
前記原稿カバーは、前記本体に対して回動可能に取り付けられ
前記遮光部材は、特定の色の光を透過する複数種類のカラーフィルタを有しており、
前記光源が放射した光が通過する前記カラーフィルタは、前記原稿カバーの回動に連動して前記遮光部材が前記光源と前記導光体との間を移動することによって、切り替えられること、
を特徴とする請求項１に記載の原稿読み取り装置。
【請求項４】
前記受光素子の出力に基づいて、前記原稿カバーの開閉状態を判定する制御手段を、
更に備えていること、
を特徴とする請求項１ないし請求項３のいずれかに記載の原稿読み取り装置。
【請求項５】
前記光源及び前記遮光部材は、前記導光体に関してユーザとは反対側に設けられていること、
を特徴とする請求項１ないし請求項４のいずれかに記載の原稿読み取り装置。
【請求項６】
前記光源及び前記遮光部材は、前記透明板の法線方向から平面視したときに、該透明板と重なっていないこと、
を特徴とする請求項１ないし請求項５のいずれかに記載の原稿読み取り装置。
【発明の詳細な説明】
【技術分野】
【０００１】
本発明は、原稿読み取り装置、特に、原稿の画像を読み取る原稿読み取り装置に関する。
【背景技術】
【０００２】
従来の原稿読み取り装置としては、例えば、特許文献１に記載の原稿読み取り装置が知られている。以下に、図面を参照しながら特許文献１に記載の原稿読み取り装置について説明する。図６は、特許文献１に記載の原稿読み取り装置５００の構成図である。
【０００３】
原稿読み取り装置５００は、本体５０１、プラテンガラス５０２、原稿押さえカバー５０４及び正反射部５０６を備えている。本体５０１は、画像読み取りセンサや光源、ミラー等を内蔵している。なお、画像読み取りセンサや光源、ミラー等は、一般的な原稿読み取り装置のこれらの構成と同じであるので説明を省略する。
【０００４】
プラテンガラス５０２は、本体５０１の上面に設けられる透明板である。プラテンガラス５０２上には、原稿がセットされる。原稿押さえカバー５０４は、本体５０１に対して回動可能に設けられており、原稿を押えるように閉じた状態と、原稿を露出させるように開いた状態とをとることができる。
【０００５】
ところで、原稿読み取り装置５００では、原稿押さえカバー５０４が開閉状態を検知する必要がある。そのため、原稿読み取り装置５００では、正反射部５０６が設けられている。正反射部５０６は、原稿押さえカバー５０４の下面に設けられている。そして、正反射部５０６は、原稿押さえカバー５０４が閉じた状態である場合には、プラテンガラス５０２を通過してきた光を反射して、本体５０１内に戻す。一方、正反射部５０６は、原稿押さえカバー５０４が開いた状態である場合には、プラテンガラス５０２を通過してきた光を反射して、本体５０１に戻すことはできない。そこで、本体５０１内の制御部は、正反射部５０６により反射された光を本体５０１内の受光素子が受光したか否かを判定することにより、原稿押さえカバー５０４の開閉状態を検知している。これにより、原稿読み取り装置５００では、新たなセンサを追加することなく、受光素子を利用して、原稿押さえカバー５０４の開閉状態を検知することができる。
【０００６】
しかしながら、原稿読み取り装置５００は、大きな原稿がプラテンガラス５０２上にセットされた場合には、正反射部５０６に光が届かなくなってしまうので、原稿押さえカバー５０４の開閉状態を検知できないという問題を有している。
【先行技術文献】
【特許文献】
【０００７】
【特許文献１】特開平１０−３２６７９号公報
【発明の概要】
【発明が解決しようとする課題】
【０００８】
そこで、本発明の目的は、新たなセンサを追加することなく原稿カバーの開閉状態を判定することができ、大きな原稿が載置されても原稿カバーの開閉状態を判定できる原稿読み取り装置を提供することである。
【課題を解決するための手段】
【０００９】
本発明の一形態に係る原稿読み取り装置は、原稿が上面に載置される透明板と、前記透明板の上面を覆っている第１の状態と該透明板の上面を覆っていない第２の状態とを切り替えることができる原稿カバーと、光源と、前記光源が放射した光を前記透明板の下面に向かって放射する導光体と、前記原稿が読み取られているときには、前記光源及び前記導光体を前記透明板の下面に沿って移動させ、該原稿が読み取られていないときには、該光源及び該導光体を所定の待機位置に待機させる移動手段と、前記透明板に設けられ、かつ、前記待機位置にある前記導光体が放射した光を反射する反射部材と、前記透明板の下面に向かって放射された光であって、前記原稿で反射した光又は前記反射部材で反射した光を受光する受光素子と、前記光源及び前記導光体が前記待機位置にあるときに、前記第２の状態において該光源から該導光体へと入射する光の量又は光の色と、前記第１の状態において該光源から該導光体へと入射する光の量又は光の色とが異なるように、前記原稿カバーの動きに連動して、該光源と該導光体との間において移動する遮光部材と、を備えていること、を特徴とする。
【発明の効果】
【００１０】
本発明によれば、新たなセンサを追加することなく原稿カバーの開閉状態を判定することができ、大きな原稿が載置されても原稿カバーの開閉状態を判定できる。
【図面の簡単な説明】
【００１１】
【図１】本発明の一実施形態に係る原稿読み取り装置の構成図である。
【図２】本発明の一実施形態に係る原稿読み取り装置の構成図である。
【図３】図２のＡ−Ａにおける原稿読み取り装置の断面構造図である。
【図４】検知機構の検知部材の外観斜視図である。
【図５】変形例に係る検知部材の外観斜視図である。
【図６】特許文献１に記載の原稿読み取り装置の構成図である。
【発明を実施するための形態】
【００１２】
以下に、本発明の一実施形態に係る原稿読み取り装置について図面を参照しながら説明する。
【００１３】
（原稿読み取り装置の概要）
図１及び図２は、本発明の一実施形態に係る原稿読み取り装置１０の構成図である。図３は、図２のＡ−Ａにおける原稿読み取り装置の断面構造図１０である。図１ないし図３において、鉛直方向をｚ軸方向と定義し、第１スライダー１８及び第２スライダー２０の移動方向をｘ軸方向と定義する。そして、ｘ軸方向及びｚ軸方向に直交する方向をｙ軸方向と定義する。なお、ユーザは、使用時には、原稿読み取り装置１０のｙ軸方向の正方向側に位置する。
【００１４】
原稿読み取り装置１０は、図１ないし図３に示すように、本体１２、原稿カバー１４、プラテンガラス１６、第１スライダー１８、第２スライダー２０、結像レンズ２２、撮像素子（受光素子）２４、白基準板（反射部材）２６、光源２７（図１及び図２には図示せず）、導光体２８、ミラー２９，３０，３２、制御部４０及び検知機構４２（図１及び図２には図示せず）を備えている。
【００１５】
本体１２は、原稿カバー１４、プラテンガラス１６、第１スライダー１８、第２スライダー２０、結像レンズ２２、撮像素子２４、光源２７（図１及び図２には図示せず）、導光体２８、ミラー２９，３０，３２、制御部４０及び検知機構４２（図１及び図２には図示せず）が取り付けられる直方体状の筐体である。プラテンガラス１６は、本体１２のｚ軸方向の正方向側に設けられている開口に取り付けられている長方形状の透明板であり、上面Ｓ１及び下面Ｓ２を有している。原稿Ｐは、プラテンガラス１６の上面Ｓ１に、読み取り面をｚ軸方向の負方向側に向けた状態で載置される。
【００１６】
原稿カバー１４は、図１、図２及び図３（ａ）に示すように、プラテンガラス１６の上面Ｓ１を覆っている状態（以下、閉状態と称す）と、図３（ｂ）に示すように、プラテンガラス１６の上面Ｓ１を覆っていない状態（以下、開状態と称す）とを切り替えることができる長方形状の板状部材である。より詳細には、プラテンガラス１６は、プラテンガラス１６のｙ軸方向の負方向側の長辺と本体１２のｙ軸方向の負方向側の長辺とが蝶番等により接合されることにより、ｙ軸方向の負方向側の長辺を中心として、本体１２に対して回動可能に取り付けられている。そして、プラテンガラス１６は、閉状態において、原稿Ｐをプラテンガラス１６に密着させる働きをする。
【００１７】
光源２７は、光Ｂを放射し、例えば、ＬＥＤにより構成されている。また、光源２７は、図３に示すように、本体１２の内部であって、かつ、プラテンガラス１６の法線方向（すなわち、ｚ軸方向）から平面視したときに、プラテンガラス１６と重ならないように設けられている。本実施形態では、光源２７は、図３（ａ）及び図３（ｂ）に示すように、プラテンガラス１６よりもｙ軸方向の負方向側に位置するように設けられている。これにより、光源２７は、導光体２８に関してユーザとは反対側に設けられている。
【００１８】
導光体２８は、図１、図２及び図３（ａ）に示すように、光源２７が放射した光Ｂをプラテンガラス１６の下面Ｓ２に向かって放射する。導光体２８は、円柱状をなす透明な樹脂部材であり、その表面にプリズムが形成された光学部材である。導光体２８は、本体１２の内部においてプラテンガラス１６の下面Ｓ２と対向するように設けられており、ｙ軸方向に延在している。また、導光体２８のｙ軸方向の負方向側の端面は、光源２７と対向している。以上のような構成を有する導光体２８では、光源２７が放射した光Ｂが、ｙ軸方向の負方向側の端面から該導光体２８に入射する。そして、光Ｂは、導光体２８内において全反射を繰り返して進行し、ｚ軸方向の正方向側に向かって導光体２８から放射される。これにより、光Ｂは、プラテンガラス１６の下面Ｓ２に向かって放射され、原稿Ｐを照射する。そして、光Ｂは、原稿Ｐの読み取り面において拡散反射する。
【００１９】
ミラー２９は、図１に示すように、原稿Ｐにおいて反射した光Ｂをｘ軸方向の負方向側に反射させる。ミラー３０は、ミラー２９からの光Ｂをｚ軸方向の負方向側に反射させる。ミラー３２は、ミラー３０からの光Ｂをｘ軸方向の正方向側に反射させる。
【００２０】
ここで、光源２７、導光体２８及びミラー２９は、図１及び図２に示すように第１スライダー１８に搭載されている。第１スライダー１８は、原稿Ｐが読み取られているときには、図１に示すように、プラテンガラス１６の下面Ｓ２に沿って、図示しないモーター、ベルト及びプーリー等の移動手段により、ｘ軸方向の正方向側に向かって速度Ｖで移動させられる。一方、第１スライダー１８は、原稿Ｐが読み取られていないときには、図２に示すように、所定の待機位置Ｐ１に移動手段により待機させられる。待機位置Ｐ１は、プラテンガラス１６のｚ軸方向の負方向側であって、プラテンガラス１６のｘ軸方向の負方向側の端部近傍の位置である。
【００２１】
また、ミラー３０，３２は、図１及び図２に示すように第２スライダー２０に搭載されている。第２スライダー２０は、原稿Ｐが読み取られているときには、図１に示すように、プラテンガラス１６の下面Ｓ２の下方において、図示しないモーター、ベルト及びプーリー等の移動手段により、ｘ軸方向の正方向側に向かって速度Ｖ／２で移動させられる。これにより、移動中における原稿Ｐの読み取り面と撮像素子２４との間の光Ｂの経路の長さが一定となる。一方、第２スライダー２０は、原稿Ｐが読み取られていないときには、図２に示すように、所定の待機位置Ｐ２に、移動手段により待機させられる。待機位置Ｐ２は、待機位置Ｐ１のｘ軸方向の負方向側に位置している。
【００２２】
白基準板２６は、図２に示すように、待機位置Ｐ１にある導光体２８が放射した光Ｂを反射する反射部材である。白基準板２６は、白色の板であり、図２及び図３に示すように、プラテンガラス１６の上面Ｓ１であって、ｘ軸方向の負方向側の短辺に沿ってｙ軸方向に延在している。白基準板２６において反射した光Ｂは、原稿Ｐにおいて反射した光Ｂと同様に、ミラー２９，３０，３２により反射される。白基準板２６において反射した光Ｂは、例えば、原稿Ｐの読み取りの際に、白の基準となるデータを生成するのに用いられる。
【００２３】
結像レンズ２２は、光Ｂによって得られる光学像を撮像素子２４に結像させる。撮像素子２４は、プラテンガラス１６の下面Ｓ２に向かって放射された光Ｂであって、原稿Ｐで反射した光Ｂ又は白基準板２６で反射した光Ｂを受光する受光素子である。具体的には、撮像素子２４は、ｙ軸方向に延びる一次元状の撮像領域を有し、結像レンズ２２によって結像された光学像を走査して原稿Ｐの像を読み取るＣＣＤカメラ等のラインセンサである。
【００２４】
制御部４０は、ＣＰＵにより構成され、原稿読み取り装置１０全体を制御する。
【００２５】
以上のように構成された原稿読み取り装置１０において、原稿Ｐが読み取られる場合には、光源２７から放射されかつ導光体２８によって導光された光Ｂが原稿Ｐに照射され、原稿Ｐにおいて反射した光Ｂがミラー２９，３０，３２によって順次反射される。そして、ミラー３２で反射された光Ｂは、結像レンズ２２に入射し、結像レンズ２２により撮像素子２４上で結像される。撮像素子２４は、各々の画素ごとに入射光の強さに応じて光電変換を行い、これによって原稿画像に対応した画像信号（ＲＧＢ信号）を生成し、制御部４０に出力する。
【００２６】
ところで、原稿読み取り装置１０では、原稿カバー１４の開閉状態を判定するための検知機構４２（図３参照）が設けられている。以下に、検知機構４２の詳細について図面を参照しながら説明する。図４は、検知機構４２の検知部材４４の外観斜視図である。
【００２７】
検知機構４２は、図３に示すように、検知部材４４及びばね４６を備えており、ｚ軸方向から平面視したときに、プラテンガラス１６と重ならないように設けられている。本実施形態では、検知機構４２は、図３（ａ）及び図３（ｂ）に示すように、プラテンガラス１６よりもｙ軸方向の負方向側に位置するように設けられている。これにより、検知機構４２は、導光体２８に関してユーザとは反対側に設けられている。検知部材４４は、図４に示すように、遮光部材５０及び接触部材５２により構成されている。遮光部材５０は、長方形状の板状部材であり、光源２７と導光体２８との間に設けられている。遮光部材５０には、三角形状の孔Ｈが設けられている。該孔Ｈは、ｚ軸方向の正方向側から負方向側へといくにしたがって、ｘ軸方向の幅が広くなる形状を有している。また、接触部材５２は、遮光部材５０のｚ軸方向の正方向側の短辺からｚ軸方向の正方向側に向かって延在している棒状部材である。
【００２８】
ばね４６は、遮光部材５０のｚ軸方向の負方向側の短辺に接触していると共に、本体１２の内周面に接触している。これにより、ばね４６は、遮光部材５０をｚ軸方向の正方向側に押し出している。その結果、接触部材５２のｚ軸方向の正方向側の先端は、図３に示すように、原稿カバー１４に圧接している。
【００２９】
以上のような構成を有する検知機構４２では、遮光部材５０は、光源２７及び導光体２８が待機位置Ｐ１にあるとき（すなわち、図２の状態のとき）に、閉状態（図３（ａ）の状態）において光源２７から導光体２８へと入射する光の量と、開状態（図３（ｂ）の状態）において光源２７から導光体２８へと入射する光の量とが異なるように、原稿カバー１４の動きに連動して、光源２７と導光体２８との間において移動する。具体的には、原稿カバー１４の開閉状態を判定する際には、第１スライダー１８が待機位置Ｐ１に移動させられる。そして、閉状態では、原稿カバー１４により接触部材５２がｚ軸方向の負方向側に押し下げられる。これにより、遮光部材５０は、図３（ａ）及び図４（ｂ）に示すように、光源２７と導光体２８との間においてｚ軸方向の負方向側に移動し、光源２７と導光体２８との間を遮る。よって、光源２７が放射した光Ｂは、導光体２８に入射しなくなるので、撮像素子２４にも入射しなくなる。そこで、制御部４０は、撮像素子２４からの出力に基づいて、該撮像素子２４に入射している光Ｂの量が０であることを判定して、原稿カバー１４が閉状態であることを判定する。
【００３０】
一方、開状態では、原稿カバー１４がｚ軸方向の正方向側に移動しているので、遮光部材５０がばね４６によりｚ軸方向の正方向側に押し上げられる。これにより、遮光部材５０は、図３（ｂ）及び図４（ａ）に示すように、光源２７と導光体２８との間においてｚ軸方向の正方向側に移動する。したがって、光源２７と導光体２８との間に孔Ｈが位置するようになり、光源２７と導光体２８との間が遮られなくなる。よって、光源２７が放射した光Ｂは、導光体２８に入射するようになり、撮像素子２４にも入射するようになる。そこで、制御部４０は、撮像素子２４からの出力に基づいて、撮像素子２４に入射している光Ｂの量が０ではないことを判定して、原稿カバー１４が開状態であることを判定する。
【００３１】
また、遮光部材５０の孔Ｈは、図４に示すように、三角形状をなしている。そのため、遮光部材５０がｚ軸方向の負方向側に移動するにしたがって、光源２７と導光体２８とが対向する面積は減少していく。よって、導光体２８に入射する光Ｂの量は、遮光部材５０がｚ軸方向の負方向側に移動するにしたがって減少していく。すなわち、撮像素子２４に入射する光Ｂの量は、遮光部材５０がｚ軸方向の負方向側に移動するにしたがって減少していく。以上のように、遮光部材５０は、原稿カバー１４の回動に連動して光源２７と導光体２８との間を移動することによって、光源２７から導光体２８に入射する光の量が変化する構造を有している。そこで、制御部４０は、撮像素子２４からの出力に基づいて、該撮像素子２４に入射している光Ｂの量を判定して、原稿カバー１４とプラテンガラス１６とがなす角度θ（図３（ｂ）参照）を判定することができる。
【００３２】
（効果）
以上の原稿読み取り装置１０によれば、新たなセンサを追加することなく原稿カバー１４の開閉状態を判定することができる。より詳細には、原稿読み取り装置１０では、制御部４０は、撮像素子２４からの出力に基づいて、原稿カバー１４の開閉状態を判定している。撮像素子２４は、原稿Ｐの読み取りに用いられるセンサであり、原稿読み取り装置１０に当然に備わっている構成である。よって、原稿読み取り装置１０では、新たなセンサを追加しなくても、原稿カバー１４の開閉状態を判定することができる。
【００３３】
また、原稿読み取り装置１０では、大きな原稿Ｐが載置されても原稿カバー１４の開閉状態を判定できる。より詳細には、原稿読み取り装置１０では、原稿カバー１４の開閉状態をプラテンガラス１６の端に設けられている白基準板２６にて反射された光Ｂを用いて、原稿カバー１４の開閉状態の判定を行っている。そのため、白基準板２６と導光体２８との間に原稿Ｐが位置することがない。よって、大きな原稿Ｐが載置されても、導光体２８から放射される光Ｂが白基準板２６に入射することが妨げられなくなる。その結果、原稿読み取り装置１０では、大きな原稿Ｐが載置されても原稿カバー１４の開閉状態を判定することができる。
【００３４】
また、原稿読み取り装置１０では、遮光部材５０の孔Ｈは、図４に示すように、三角形状をなしている。そのため、遮光部材５０がｚ軸方向の負方向側に移動するにしたがって、光源２７と導光体２８とが対向する面積は減少していく。よって、導光体２８に入射する光Ｂの量は、遮光部材５０がｚ軸方向の負方向側に移動するにしたがって減少していく。すなわち、撮像素子２４に入射する光Ｂの量は、遮光部材５０がｚ軸方向の負方向側に移動するにしたがって減少していく。以上のように、遮光部材５０は、原稿カバー１４の回動に連動して光源２７と導光体２８との間を移動することによって、光源２７から導光体２８に入射する光の量が変化する構造を有している。そこで、制御部４０は、撮像素子２４からの出力に基づいて、該撮像素子２４に入射している光Ｂの量を判定して、原稿カバー１４とプラテンガラス１６とがなす角度θ（図３（ｂ）参照）を判定することができる。
【００３５】
また、原稿読み取り装置１０では、検知機構４２の構成を簡単にできる。より詳細には、光源２７がプラテンガラス１６と重なっている場合には、遮光部材５０は、プラテンガラス１６と重なるように配置される。この場合、プラテンガラス１６と重ならない位置から接触部材５２を本体１２から突出させるために、遮光部材５０と接触部材５２とを接続する機構が必要となる。そこで、原稿読み取り装置１０では、光源２７は、プラテンガラス１６と重ならないように設けられている。これにより、遮光部材５０と接触部材５２とを接続する機構が不要となり、接触部材５２は、遮光部材５０に直接に取り付けられることが可能となる。その結果、検知機構４２の構成が簡単になる。
【００３６】
また、原稿読み取り装置１０では、検知機構４２を小型化することが可能である。より詳細には、原稿読み取り装置１０では、検知機構４２は、導光体２８に関してユーザとは反対側に設けられている。すなわち、検知機構４２は、図３（ａ）及び図３（ｂ）に示すように、プラテンガラス１６よりもｙ軸方向の負方向側に位置するように設けられている。これにより、検知機構４２は、本体１２と原稿カバー１４との接合部近傍に設けられるようになる。よって、原稿読み取り装置１０では、接触部材５２は、本体１２から僅かにｚ軸方向の正方向側に突出しているだけで、原稿カバー１４に接触することができる。その結果、接触部材５２を短くすることができ、検知機構４２を小型化することが可能となる。
【００３７】
（変形例）
前記検知部材４４では、図４に示すように、三角形状の孔Ｈが設けられていた。しかしながら、検知部材４４は、図４に示した構造に限らない。以下に、変形例に係る検知部材４４'について図５を参照しながら説明する。図５は、変形例に係る検知部材４４'の外観斜視図である。
【００３８】
検知部材４４と検知部材４４'は、遮光部材５０，５０'の構成において相違点を有している。具体的には、遮光部材５０'は、シアン、イエロー、マゼンタの光を透過するカラーフィルタ５４Ｙ，５４Ｃ，５４Ｍを有している。カラーフィルタ５４Ｙ，５４Ｃ，５４Ｍは、ｚ軸方向の正方向側から負方向側へとこの順に並んでいる。そして、光源２７が放射した光Ｂが通過するカラーフィルタ５４Ｙ，５４Ｃ，５４Ｍは、原稿カバー１４の回動に連動して遮光部材４４'が光源２７と導光体２８との間を移動することによって、切り替えられる。
【００３９】
例えば、検知部材４４'がｚ軸方向の負方向側に押し下げられることによりカラーフィルタ５４Ｙを光Ｂが入射した場合には、光Ｂの青成分はカラーフィルタ５４Ｙに吸収され、光Ｂの赤成分及び緑成分は透過する。したがって、撮像素子２４が受光する光Ｂの青成分が大きく低下する。よって、制御部４０は、撮像素子２４が受光した光Ｂの青成分が大きく低下した場合には、原稿カバー１４が閉状態であると判定する。なお、他のカラーフィルタ５４Ｃ，５４Ｍについても、制御部４０は、同様の判定を行うことができる。
【００４０】
以上のように、遮光部材５０'は、開状態において光源２７から導光体２８へと入射する光の色と、閉状態において光源２７から導光体２８へと入射する光の色とが異なるように、原稿カバー１４の動きに連動して、光源２７と導光体２８との間において移動してもよい。これにより、撮像素子２４が受光した光の色成分を分析することにより、原稿カバー１４の開閉状態を判定することが可能となる。
【００４１】
なお、原稿読み取り装置１０では、遮光部材５０に設けられている孔Ｈは、図４に示すように、ｚ軸方向の正方向側から負方向側へといくにしたがって、ｘ軸方向の幅が広くなる形状を有している。しかしながら、孔Ｈは、ｚ軸方向の正方向側から負方向側へといくにしたがって、ｘ軸方向の幅が狭くなる形状を有していてもよい。これにより、ユーザが原稿カバー１４を開けた際に、光りが遮光部材５０により遮られるようになり、ユーザがまぶしい思いをすることがなくなる。
【産業上の利用可能性】
【００４２】
本発明は、原稿読み取り装置に有用であり、特に、新たなセンサを追加することなく原稿カバーの開閉状態を判定することができ、大きな原稿が載置されても原稿カバーの開閉状態を判定できる点において優れている。
【符号の説明】
【００４３】
Ｈ 孔
Ｐ 原稿
Ｐ１，Ｐ２  待機位置
Ｓ１  上面
Ｓ２  下面
１０  原稿読み取り装置
１２  本体
１４  原稿カバー
１６  プラテンガラス
１８  第１スライダー
２０  第２スライダー
２２  結像レンズ
２４  撮像素子
２６  白基準板
２７  光源
２８  導光体
２９，３０，３２  ミラー
４０  制御部
４２  検知機構
４４，４４' 検知部材
４６  ばね
５０，５０' 遮光部材
５２  接触部材
５４Ｙ，５４Ｍ，５４Ｃ  カラーフィルタ
【図１】
2011109322.tif 000003
【図２】
2011109322.tif 000004
【図３】
2011109322.tif 000005
【図４】
2011109322.tif 000006
【図５】
2011109322.tif 000007
【図６】
2011109322.tif 000008